(57)【要約】少なくとも６つの導体を含む配電のためのアセンブリであって、配電部と電源印加部とを画定し、前記導体の負荷接続部は、配電部において重畳する複数の層として構成されている。それぞれの導体の負荷接続部は、前記重畳する複数の層を超えて突出する少なくとも１つの負荷接続部を含み、それによって、それぞれの負荷が前記配電部において２つの導体の間に接続されている。それぞれの導体の電源接続部は、少なくとも１つの接続要素を含み、他のすべての導体の電源接続部から電気的に分離されている。このアセンブリは、電源の中性的な基準点への接続のための共通導体と、導体と共通導体とを選択的に相互接続して、接続された負荷を、単相構成、３相のＹ字状構成及び３相のデルタ構成の中の１つに従って電気的に構成する導電性ストラップとを含む。
2006506040.tif 000002
【特許請求の範囲】
【請求項１】
本線の電源からの電気エネルギを配分するアセンブリであって、配電部と電源印加部とを画定し、少なくとも６つの導体を含み、それぞれの導体は電源接続部と重畳する複数の層として構成されている少なくとも１つの負荷接続部とを含み、前記導体は相互に電気的に絶縁され、それぞれの負荷接続部は前記重畳する複数の層を超えて突出する少なくとも１つの負荷接続部を含んでいることによりそれぞれの負荷が前記配電部において２つの導体の間に接続されており、それぞれの電源接続部は少なくとも１つの接続要素を含み、それぞれの導体の電源接続部は他のすべての導体の電源接続部から電気的に分離され、それぞれの電源接続部は、３つの接続要素を有する電源接続部を含んでおり３相電源の中性的な基準点へ接続するための共通導体と、選択された電源接続部を相互に接続して、接続された負荷を、単相構成、３相のＹ字状構成及び３相のデルタ構成の中の１つに従って電気的に構成する導電性ストラップとを更に含んでいることを特徴とするアセンブリ。
【請求項２】
請求項１記載のアセンブリにおいて、それぞれの導体の負荷接続部は、前記重畳する複数の層を超える突出距離がすべての導体について実質的に同一であるように形成されていることを特徴とするアセンブリ。
【請求項３】
請求項１記載のアセンブリにおいて、それぞれの導体は、前記負荷接続部と前記電源接続部との接続領域を除いて絶縁層を用いてコーティングされていることを特徴とするアセンブリ。
【請求項４】
請求項１記載のアセンブリにおいて、それぞれの負荷接続部は、負荷接続導体の接続要素の一致係合のために構成された特定の接続要素を受け入れるように形成されていることを特徴とするアセンブリ。
【請求項５】
請求項４記載のアセンブリにおいて、前記特定の接続要素は、前記負荷接続部に固定的に付属されていることを特徴とするアセンブリ。
【請求項６】
請求項１記載のアセンブリにおいて、前記共通導体と前記導体の電源接続部との接続要素は３行３列の正方行列として空間的に配置され、それぞれの導電性ストラップは前記行列のある行又は列に存在する２つの隣接する接続要素の間の距離に及ぶことを特徴とするアセンブリ。
【請求項７】
請求項６記載のアセンブリにおいて、３つの導体の電源接続部は、前記電源印加部の上の後方に突出している延長部を更に含み、それぞれの延長部は前記本線の電源の導体の接続のために当該延長部に付属されている接続要素を有していることを特徴とするアセンブリ。
【請求項８】
請求項７記載のアセンブリにおいて、前記共通導体は、前記本線の電源の中性的な基準点の導体の接続のために当該共通導体に付属されている接続要素を有していることを特徴とするアセンブリ。
【発明の詳細な説明】
【技術分野】
【０００１】
本発明は、広くは、電気機器への電力の配分に関する。更に詳しくは、本発明は、電気機器における電源接続端子から複数の負荷への配電のためのバス・システムに関する。
【背景技術】
【０００２】
導体と絶縁体との積層構造を有する電気的バス・システムを提供することは知られている。更に、単一のバス構造の複数の対の選択された導体を相互接続してＡＣ（交流）又はＤＣ（直流）電源の接続に適合させることも知られている。これまでは、「Ｙ字状」、「デルタ（Δ）型」又は単相のバス・システムへの負荷の接続構成には、負荷への接続に特定の構成が必要であった。従来技術においては、既に接続された負荷の構成を３相の「Ｙ字状」構成と３相の「デルタ型」構成と単相構成との間で適合させる手段が提供されなかったので、バス・システムへの負荷接続構成を予め決めておくことは可能でなかった。この理由により、従来は、機器を設置する間に負荷を配電バス・システムに接続して、印加される電源によって要求される負荷の電気的構成を達成することが必要であった。機器設置の際に負荷をバス・システムに接続することが必要であることの結果として、電源位相の間での負荷の不均衡が生じたり、意図されている動作に要求される電力を駆動するように負荷が接続されないなどの接続エラーが生じる可能性がある。従って、希望している「Ｙ字状」、「デルタ型」又は単相の負荷接続構成を可能にしながら、バス・システムへの負荷の接続間違いの可能性を減少させる必要が存在する。
【発明の開示】
【０００３】
本発明の目的は、電気的負荷への接続のための導体と電源印加部とを有する配電アセンブリであって、接続ストラップによる導体間の相互接続が選択的になされ３相の「Ｙ字状」構成と３相の「デルタ型」構成と単相構成との中の１つに従って接続された負荷の電気的構成を達成するような配電アセンブリを提供することである。
【０００４】
本発明の更なる目的及び効果は、添付の図面とそれに関する以下の説明とから明らかになるはずである。
上述の目的により、配電部と電源印加部とを画定し、それぞれが負荷接続部と電源接続部とを含む少なくとも６つの導体を含むアセンブリが提供される。導体の負荷接続部は、アセンブリにおいて、重畳する複数の層として構成されている。それぞれの導体の負荷接続部は、このアセンブリの重畳する複数の層を超えて突出する少なくとも１つの負荷接続部を含み、それにより、それぞれの負荷は、アセンブリの配電部において２つの導体の間に接続される。それぞれの導体の電源印加部は、少なくとも１つの接続要素を有する電源接続部を含み、それぞれの導体の電源接続部は他のすべての導体の電源接続部から電気的に絶縁されている。このアセンブリは、更に、３つの接続要素を有する電源接続部を含む共通導体を含み、この共通導体は、電源の中性的な基準点への接続のためのものである。このアセンブリは、更に、選択された接続部を相互接続し、接続された負荷を単相と３相のＹ字状構成と３相のデルタ型構成との中の１つに従って電気的に構成する導電性ストラップを含む。
【発明を実施するための最良の形態】
【０００５】
本発明は、以下で詳細に説明される好適実施例を参照しながら図解されている。しかし、出願人は、本発明をこの好適実施例に限定するのではなく、冒頭の特許請求の範囲とそのすべての均等物とによって本発明が定義されることを意図している。
【０００６】
図１を参照すると、バス・バー・アセンブリ１０が示されており、配電部１２が電源印加部１４から分離された状態で示されている。バス・バー・アセンブリ１０は、少なくとも６つの導体２０、２２、２４、２６、２８及び３０を含む。配電部１２は、アセンブリを超えて突出していることで負荷の接続を容易にしている導体２０−３０の部分３２、３４、３６、３８、４０及び４２などの負荷接続部を含む負荷接続部を含む。電源印加部１４は、導体２０−３０の電源接続要素５０、５２、５４、５６、５８及び６０を含んでいるが、これらは、選択された負荷構成に従う導体の相互接続のためのものである。更に、電源印加部１４は、やはり負荷構成のための相互接続に用いられる共通接続要素６４、６６及び６８を有する共通導体６２を含む。例えば、本線の電源からの電気エネルギ源の導体は、電源印加部１４においてアセンブリ１０に接続される。導体２０−３０は、それぞれが、ほぼ平坦な導電性材料で形成されていて、アセンブリ１０の内部で意図されている相対的な位置に適合する一意的な形状を有している。電源接続要素５０−６８は、固定手段（図示せず）によって対応する導体に取り付けられ接続要素と導体との間の電気的接続が達成されている。負荷接続部と接続要素との接続領域を除くと、それぞれの導体は絶縁材料を用いて効果的にコーティングがなされており、アセンブリ１０において適合されている導体相互間での電気的絶縁が得られている。絶縁性のコーティングに加えて、絶縁性のシート状材料（図示せず）が、アセンブリ１０の中に配置されている導体の間に効果的に挿入されている。絶縁性シートの材料と厚さとは、印加される電力の特性に従ってアセンブリ１０に対して特定される環境的な動作範囲の全体で絶縁を保証するように、選択される。導体２０−３０は、絶縁シートを用いる場合には絶縁シートと共に、アセンブリ１０の長さ全体にそって離間しているボルト４６及び４８（ナットは図示せず）などの非導電性の固定手段によって、アセンブリ１０の中で相互に固定されている。
【０００７】
図２ａ及び２ｂを参照すると、図１の導体２２及び２８にそれぞれ対応する導体の全体の例が、３次元的に示されている。４つの負荷接続部を与えるような長さで図解されているが（図２ａの接続部３２、図２ｂの接続部４０）、負荷接続部の数とそれぞれの導体の長さとは、電力が配分される電気機器に左右されるまったくの設計事項である。導体２０−２４の負荷接続部における突出している接続部は、アセンブリ１０を超えて突出する距離がすべての導体についてほぼ同一となるように形成される。同様に、導体２６−３０の負荷接続部における突出している接続部は、アセンブリ１０を超えて突出する距離がほぼ同一となるように形成される。アセンブリ１０に対して突出方向が直角であるように示されているが、接続部又は接続部の一部分を、接続部分に接続される負荷導体の最終的な曲線又は曲がり状態の先鋭度を減少させるのに適した角度を向くように形成することも可能である。あるいは、導体２０−３０の負荷接続部の中の導体と接続部との形状は、図１に示されているように、積層状に組み立てるのが容易となるように形成することもできる。この点に関しては、突出部分は、そこから突出している導体のエッジの上下方向に導体面において伸長するように形成することで、アセンブリの中の突出している接続部が伸長する上下において導体との隙間が提供されうるということに言及しておく。また、市販の接続タブ（図示せず）などの特定の接続要素を部分３２及び４０などの接続部の突出している先端部分にリベットやそれ以外の固定手段によって固定して、負荷に接続される導体に付着されるいわゆる「プッシュ・オン」ラグなどの接続要素と結合的に接続させることができる。突出している接続部を除くと、導体２０−３０はほぼ平坦であり、アセンブリ１０の配電部１２の中に延長している。
【０００８】
図２ａに示されているように、導体２２は、電源接続部の上方に後ろ向きの延長部を伴うように形成されている（図１では、延長は破線で示されている）。接続要素７０は、導体２２と接続要素７０との間に電気的導通が得られるように、この延長部に付属されている。この延長部は、接続要素７０がアセンブリ１０において導体６２よりも後方にあり導体６２から電気的に分離されているように、形成されている。同様の態様で、導体２０及び２４には、それぞれが、後ろ向きに突出している延長部と接続要素とが提供されている（図１では、延長部は破線で示されている）。接続要素７０は、導体２０及び２４の対応する接続要素と共に、本線の電源からアセンブリ１０への電源を運ぶ導体の接続を容易にしており、接続要素５０−６０及び６４−６８へのアクセスの邪魔をしないようにしている。
【０００９】
図１に示されているように、導体２０−３０の電源接続部と共通導体６２とは、接続要素５０−６０及び６４−６８がほぼ同一平面から突出することを可能にするように形成されている。図２ａを参照すると、導体２２の電源接続部は、電源接続部５０のためのベースから電気的に分離されているがそれとほぼ同一平面にある電源接続要素５２のベースを与えるように形成されている。同様に、導体２４の電源接続部は、電源接続要素５２のためのベースから電気的に分離されているがそれとほぼ同一平面にある電源接続要素５４のベースを与えるように形成されている。図２ｂに示されているように、導体２８の電源接続部は、導体２６及び３０の同様のベースから電気的に分離されている電源接続要素５８のためのベースを提供するように形成されている。電源接続要素５８のためのベースは、電源接続要素５６及び６０のためのベースと同じように、電源接続要素５０−５４のためのベースとほぼ同じ平面に存在する。図１と図２ｂとを参照すると、導体２８の主要な長さからサポート要素５８のためのベースへの突出は、導体のアセンブリにおける導体２８の相対的な位置に依存することがわかる。同様に、導体２６及び３０のそれぞれについては、伸長している導体の主要な長さから接続要素のためのベースへの突出は、アセンブリ１０におけるその導体の相対的な位置に従って決定される。
【００１０】
図３ａないし３ｃを参照すると、負荷の電気的構成が、それぞれ、３相の「Ｙ字状」、３相の「デルタ型」及び単相に対して図解されている。これらの電気的な図では、負荷はＺ１、Ｚ２及びＺ３で表され、アセンブリ１０の導体２０−３０はＢ１、Ｂ２、Ｂ３、Ｂ４、Ｂ５及びＢ６として示され（対応関係は表１にある）、電源は、導体２０、２２及び２４の電源接続部の電源線Ｌ１、Ｌ２及びＬ３への接続部において与えられている（例えば、図２ａの接続要素７０を参照のこと）。図３ａ（３相の「Ｙ字状」）では、電源の電気的中性点（Ｎ）への接続が、先Ｌ１、Ｌ２及びＬ３への接続に加えて、提供されている。アセンブリ１０への電源中性点の接続は、それに付属された接続要素７２（図１）によって、共通導体６２（図１）に対してなされる。先Ｌ１、Ｌ２、Ｌ３及びＮの間の負荷の接続は、導電性ストラップＳ１、Ｓ２及びＳ３（３相構成）と導電性ストラップＳ１、Ｓ２、Ｓ３及びＳ４（単相構成）とを用いて電源接続部において、なされる。Ｚ１、Ｚ２及びＺ３のそれぞれによって表される実際の負荷は、導体２０−３０の複数の負荷接続部の全体に配分されている複数のデバイスであるのが典型的であり、導体２０−３０への実際の接続の目的は、電源線Ｌ１、Ｌ２及びＬ３の間での負荷電流の均衡を達成することである。図３ａの「Ｙ字状」構成では、すべての負荷の１端は、導体Ｂ４、Ｂ５及びＢ６のすべてを相互に及び電源中性点に接続しているストラップＳ１、Ｓ２及びＳ３を介して、中性点「Ｎ」に接続されている。図３ｂの「デルタ型」構成では、負荷Ｚ１は電源線Ｌ１及びＬ２の間で導電性ストラップＳ２によって接続され、負荷Ｚ２は電源線Ｌ２及びＬ３の間で導電性ストラップＳ３によって接続され、負荷Ｚ３は電源線Ｌ２及びＬ３の間で導電性ストラップＳ１によって接続される。図３ｃの単相の構成では、電源線Ｌ２及びＬ３はストラップＳ３によって相互に接続され、負荷Ｚ１は電源線Ｌ１及びＬ２の間で導電性ストラップＳ３及びＳ４によって接続され、負荷Ｚ２は電源線Ｌ２及びＬ１の間でストラップＳ２及びＳ１によって接続され、負荷Ｚ３は電源線Ｌ２及びＬ１の間で導電性ストラップＳ３及びＳ１によって接続される。
【００１１】
図３ａないし３ｃに図解されているように、負荷Ｚ１、Ｚ２及びＺ３によって表される実際の負荷は、これらの負荷が３相の「Ｙ字状」、３相の「デルタ型」、又は単相のどのように電気的に構成されているかとは関係なく、導体Ｂ１−Ｂ６に接続されている。接続される負荷の実際の数とは関係なく、負荷のアセンブリ１０への接続は、印加電源に対して与えられる負荷の電気的な均衡（負荷まで運ばれる電流が近似的な等化）が可能となるように実現される。
【００１２】
【表１】
2006506040.tif 000003
【００１３】
図３ａ−３ｃの導体Ｂ１−Ｂ６、負荷Ｚ１−Ｚ３及び導電性ストラップＳ１−Ｓ４が図１のアセンブリ１０に適用されている物理的配列が、図４ａ−４ｃにそれぞれ図解されている。図４ａでは、導電性ストラップＳ１は接続要素５６及び６４の間に適合され、導電性ストラップＳ２は接続要素５８及び６６の間に適合され、導電性ストラップＳ３は接続要素６０及び６８の間に適合されている。接続要素６４、６６及び６８は導体６２への付着により電気的に相互接続されており、導体Ｂ４、Ｂ５及びＢ６は、導電性ストラップＳ１、Ｓ２及びＳ３によって、相互に電気的に接続されていると共に電気的中性点にも電気的に接続されている（図３ａに図解されている）。図４ｂでは、ストラップＳ１は導体Ｂ１及びＢ６を接続している接続要素５４及び６０の間に適合され、ストラップＳ２は導体Ｂ２及びＢ４を接続している接続要素５０及び５６の間に適合され、ストラップＳ３は導体Ｂ３及びＢ５を接続している接続要素５２及び５８の間に適合されている（すべて、図３ｂに図解されている）。図４ｃでは、導電性ストラップＳ１は接続要素５４及び６０の間に適合され、導電性ストラップＳ２は接続要素６０及び５８の間に適合され、導電性ストラップＳ１及びＳ２は導体Ｂ１、Ｂ６及びＢ５を相互に接続し、導電性ストラップＳ３は接続要素５０及び５２の間に適合され、導電性ストラップＳ４は接続要素５０及び５６の間に適合され、導電性ストラップＳ３及びＳ４は導体Ｂ２、Ｂ２及びＢ４を相互に接続している（すべて、図３ｃに図解されている）。図４ａ−４ｃに示されているように、導体Ｂ１−Ｂ６の電源印加部と共通導体６２との接続要素は、３行３列の行列状に空間的に配列され、実質的に同一の平面から突出していて、導電性ストラップＳ１−Ｓ４の適用を容易にしている。好ましくは、行列状の接続要素の空間的配列は、導電性ストラップがサイズ及び形状に関して物理的に一様であるようになされており、それによって、任意の導電性ストラップを接続要素の間に隣接する行又は隣接する列に適用することが可能となっている。
【図面の簡単な説明】
【００１４】
【図１】本発明によるバス・バー・アセンブリの３次元的な図である。
【図２】図２ａ及び２ｂは、図１のバス・バー・アセンブリの導体を図解している。
【図３】図３ａないし３ｃは、図１のバス・バー・アセンブリに接続された負荷の代替的な電気的構成を図解している電気的図解である。
【図４】図４ａないし４ｃは、図３ａないし３ｃによって図解されている負荷の電気的構成のための相互接続ストラップの適用を図解している。
【図１】
2006506040.tif 000004
2006506040.tif 000005
2006506040.tif 000006
2006506040.tif 000007
【国際調査報告】
2006506040.tif 000008
2006506040.tif 000009